(57)【要約】【課題】本考案は、ポスター等の掲示物を取り去るに際して清掃の手間がかからず、また、粘着テープ等の跡が残ることがない掲示物の止め具を提供することを目的とする。【解決手段】下面が扁平な頭部材３と、前記頭部材の下面３ａに取り付けられ磁性を有する脚部材４と、脚部材４が貫通する貫通孔６を有する非磁性体であるスペーサー５とを有した掲示物用の止め具１であって、前記スペーサー５の前記頭部材３の反対側の面とポスター７との間に両面接着テープ９を配置することにより、金属性の壁面８にポスター７を固定する。【選択図】図１
0003188295.tif 000002
【実用新案登録請求の範囲】
【請求項１】
下面が扁平な頭部材と、前記頭部材の下面に取り付けられ磁性を有する脚部材と、脚部材が貫通する貫通孔を有する非磁性体であるスペーサーと、を有した掲示物の止め具であって、前記スペーサーと掲示物との間に接着材を配置して前記スペーサーを前記掲示物に固定して、前記脚部材を前記貫通孔に嵌合させることにより、金属製の素地に掲示物を取り付ける掲示物の止め具。
【請求項２】
前記スペーサーまたは前記脚部材に、紐を取り付けたことを特徴とする請求項１に記載の掲示物の止め具。
【請求項３】
前記頭部材が磁性体であり、前記頭部材の前記脚部材と反対側の面に非磁性のシートが貼り付けてあることを特徴とする請求項１に記載の掲示物の止め具。
【請求項４】
前記スペーサーの下面に金属製の板部材が配置されていることを特徴とする請求項１に記載の掲示物の止め具。
【請求項５】
掲示物の両面に対向して取付けられる掲示物の止め具であって、当該止め具は、
下面が扁平な頭部材と、前記頭部材の下面に取り付けられ磁性を有する脚部材と、脚部材が貫通する貫通孔を有する非磁性体であるスペーサーと、を有していて、前記スペーサーと掲示物との間に粘着材を配置して前記スペーサーを前記掲示物に固定して、前記脚部材を前記貫通孔に嵌合させてなることを特徴とする掲示物の止め具。
【請求項６】
下面が扁平であり、かつ、上面に非磁性のシートが貼り付けられた頭部材と、
前記頭部材の下面に取り付けられ磁性を有する脚部材と、
脚部材が貫通する貫通孔を有する非磁性体であるスペーサーとを有しており、
前記脚部材を前記貫通孔に嵌合させるとともに、前記スペーサーを接着剤で掲示物に固定してなる掲示物を保持する保持材であって、当該保持部材は取手とこれ取手に直交する磁性体のバーとを有していて、前記頭部材の上面が前記バーに磁性で吸着することにより前記掲示物が前記保持材に取り付け可能となっており、前記取手を保持することにより金属性の壁面に前記掲示物が取り付け可能となっている掲示物の保持材。
【考案の詳細な説明】
【技術分野】
【０００１】
本考案は、ポスター等の掲示物を建物等の壁面に、磁石を利用して、固定する掲示物の止め具に関するものである。
【背景技術】
【０００２】
掲示物には、選挙ポスター、イベントの案内ポスター、各種宣伝広告、告知を目的としたもの、美観を目的とした図画類等がありその目的とするところは種々多様である。また、その掲示場所も、屋外に掲示されるもの、屋内に掲示されるもの、高所に掲示されるもの等多様である。
【０００３】
掲示物を建物等に固定する方法は、種々考案されて使用されている。それらの中には、磁石を利用したもの、粘着テープを利用したもの、画鋲を利用したものがある。これらの方法の多くは、掲示物の見易さや、掲示物の変形を防ぐことを解決課題としているものが多い（例えば、特許文献１）。また、止め具にマグネットや画鋲を使用したものも多数ある（例えば、特許文献２）。
【０００４】
これら掲示物の内、例えば、選挙ポスターのように、建物の壁面を利用して、主として屋外に掲示もしくは展示されるものが多々見受けられる。このような掲示物は、風や雨や掲示物の重さの影響を受け易く、掲示物が全面もしくは部分的にはがれたり変形して、その掲示の状態を保たなくなることがある。具体的には、屋外の壁面に貼り付けた掲示物は、その側面から風を受けると、風が掲示物と壁面との間に入り、取付け位置がズレたり、掲示物がはがれたりすることがある。特に、画鋲やマグネットのみで掲示物を固定する場合、風や雨や掲示物の重さ等の影響を受け易く、掲示環境への対応が困難である。
【０００５】
選挙の終了やイベントの終了後に掲示物を撤去する必要があるが、掲示物の取付け跡が建物の壁面に残る。これは、掲示物を糊や粘着テープで取り付けるためであり、掲示物を取り去っても、糊や粘着テープのカスが取付け面に付着して残り、壁や塀が汚くなる。
掲示物を撤去するときに糊や粘着テープのカスを取り外すのに清掃の手間がかかる。また、建物の汚れは所有者に迷惑をかけることとなる。
画鋲や押しピンを利用すればこのような問題はないが、画鋲等は錆びるし、外れた画鋲等は安全上問題がある。
【０００６】
更には、ポスター等はより高いところに貼る方が効果的であるが、高いところへの掲示物の貼り付けや取り外しは大変手間のかかる作業である。
【先行技術文献】
【特許文献】
【０００７】
【特許文献１】特開平１１−２０８１７１号公報
【特許文献２】特開２０１２−７１５７１号公報
【考案の概要】
【考案が解決しようとする課題】
【０００８】
本考案が解決しようとする問題点は、ポスター等の掲示物を撤去するに際して、粘着テープ等の撤去跡が残り、清掃に手間がかかることである。また風等の掲示環境や掲示物の重さの影響を受けて、掲示物がはがれたり、取付け位置がズレたりすることである。
【課題を解決するための手段】
【０００９】
本考案掲示物の止め具は、下面が扁平な頭部材と、前記頭部材の下面に取り付けられ磁性を有する脚部材と、脚部材が貫通する貫通孔を有する非磁性体であるスペーサーと、を有した掲示物の止め具であって、前記スペーサーと掲示物との間に接着材を配置して前記スペーサーを前記掲示物に固定して、前記脚部材を前記貫通孔に嵌合させることにより、金属製の素地に掲示物を取り付ける。
本考案掲示物の止め具は、前記スペーサーまたは前記脚部材に、紐が取り付けられている。この紐は掲示物を取り外すのに便利であるし、掲示物を吊り下げるのにも便利である。
【考案の効果】
【００１０】
本考案の止め具によれば、ポスター等の掲示物を取り去るに際して清掃の手間がかからず、粘着テープ等の跡が残ることがない掲示物の止め具を提供するという利点がある。更には、風等の影響を受けにくい掲示環境に強い、掲示物の止め具を提供する。
【図面の簡単な説明】
【００１１】
【図１】止め具の縦断面を示す断面図である。
【図２】止め具の外観を示す説明図である。
【図３】止め具とポスターの関係を説明するための図面である。
【図４】止め具の第１の変形例を説明するための図面である。
【図５】止め具の第２の変形例を説明するための図面である。
【図６】保持材を説明するための図面である。
【図７Ａ】保持材を用いてポスターを取り付ける状況を説明する一連の写真である。
【図７Ｂ】保持材を用いてポスターを取り付ける状況を説明する一連の写真である。
【図７Ｃ】保持材を用いてポスターを取り付ける状況を説明する一連の写真である。
【考案を実施するための形態】
【００１２】
図１は、本考案に係る掲示物の止め具の構造を説明するための縦方向の断面図である。また図２は、止め具の外観を鳥瞰的に示したものである。
【００１３】
図２に示すように、本考案の止め具１は、頭部材３と、頭部材３の下面に取り付けられた脚部材４と、中央に脚部材４が貫通する貫通孔６を有するスペーサー５とから、主として構成されている。図１に示す断面図から分かるように、頭部材３の下面３ａは、全体として、凹凸がなく平らである。頭部材の下面３ａには脚部材４が取り付けられている。
【００１４】
脚部材４は磁性を有している。具体的には脚部材４は、その上下方向に磁化された磁石となっている。図２では脚部材は円柱形をしているが、角柱であってもよい。脚部材４は、その上下面が平行で平坦な柱状であることが好ましい。脚部材４の上面は頭部材の下面３ａに接着剤で取り付けられている。取り付け方法は接着剤に限定されるものでなく、ビスで留めてもよく、或いは頭部材３の下面３ａに設けた突起を脚部材４の中央に設けた穴に圧入してもよい。頭部材３は好ましくは円形であるが円形に限定されず、楕円形や四角形や多角形であってもよい。頭部材３の上面は上方に凸の曲面であってもよい。図２では、スペーサー５は円形であるが、矩形等他の形状であってもよい。スペーサー５はシート状であることが好ましい。
【００１５】
スペーサー５の外形寸法は頭部材３の外形寸法より大きい方が好ましい。頭部材３の外形寸法がスペーサー５の外形寸法に比較して小さすぎるとスペーサー５を保持する面積が小さくなりポスター７の保持に支障が生じる。また、スペーサー５が大き過ぎるとポスター７の表示面を塞ぎ見易さを損なう。
脚部材４は直径が５〜１５ｍｍの円柱状であることが好ましい。脚部材４の直径が大き過ぎると、ポスター７の取付け面が波板のとき、波板と脚部材４の間に空隙が生じて、脚部材４の吸着力が弱くなり、ポスター７の確実な取り付けに支障が生じる。また、小さすぎると、脚部材４の吸着力が不十分となる。脚部材４の直径が６ｍｍ程度であれば、取り付け面と脚部材４の間に空隙が生じることがないので、より好ましい。
【００１６】
スペーサー５は中央に脚部材４が貫通する貫通孔６を有している。スペーサー５は、ウレタンフォームとその両面に張り付けたビニールシートでできている。厚み方向に多少の変形が可能となっている。スペーサー５はウレタンフォームのみであってもよく、また、ウレタンフォームとビニールシートの組合わせ以外のものであってもよい。スペーサー５は、非磁性体であれば他の素材であってもよい。スペーサーの貫通孔６は、脚部材４の外形寸法より少し大きく、脚部材４が容易にスペーサー５の貫通孔６に嵌合するようになっている。
【００１７】
スペーサー５は接着材９によりポスター７に取り付けられる。本実施形態において接着材９として両面接着テープを用いたが、両面接着テープ９の代わりに接着剤を用いて取り付けてもよい。掲示物を取り付ける素地は金属製であればよく、特に限定されるものでなく、その形態は問わないが、好適な例として、例えば建物の壁面や塀等が考えられる。金属製の素地が建物の壁面である場合を例に取り説明をする。
ポスター７はその裏面が建物の壁面８に対向しており、止め具１によりポスター７が壁面８に取り付けられる。このような壁面８として、建物外壁に取り付けられたトタン板、シャッター等がある。ポスター７が壁面８に取り付けられた状態を図１（ｂ）に示す。図３は、ポスター７の四隅が止め具１により、建物の壁面８に取り付けられた状態を示す。なお、図１（ｂ）では頭部材の下面３ａがスペーサー５の上面に当接しているが、頭部材の下面３ａとスペーサー５の間に隙間がない方が好ましい。頭部材の下面３ａとスペーサー５の間に隙間があると、風等の影響を受けて、ポスター７が壁面８から外れ易くなる。
【００１８】
このような止め具１の作用について、以下に説明する。スペーサー５を取り付けたポスター７を建物の壁面８の掲示位置にセットする。そして、止め具１の脚部材４をスペーサー５の貫通孔６に嵌め込む。ポスター７が取り付けられる壁面８は磁性体でできており、脚部材４の有する磁性により壁面８が磁化されて、脚部材４は壁面８に引き寄せられ、吸着される。この結果、ポスター７が壁面８に取り付けられる。
【００１９】
ポスター７が風や掲示物の重さの影響を受けて、その位置がズレようとすると、この力はスペーサー５を介して止め具１の脚部材４と頭部材３に伝わる。脚部材４は壁面８に磁力を持って強力に吸引されているので、脚部材４に接続された頭部材３は、その下面３ａがスペーサー５を壁面８に対して押しつける作用をする。ポスター７は壁面８に確実に取り付けられることとなる。スペーサー５は、厚み方向に変形可能となっているので、頭部材の下面３ａとスペーサー５の間に隙間がない。すなわち、頭部材３はポスター７が浮き上がり壁面８から離れるのを防止する役目を果たす。この結果、ポスター７と壁面８の間に風が入ることにより、ポスター７が大きく変位したり、風により飛ばされたりすることがない。ポスター７は風の力の影響を受けにくくなっている。すなわち、従来のポスターのように、ポスター７は変形したり、その取り付け位置がズレたりしない。ポスター７はその掲示状態を維持することができる。
【００２０】
両面接着テープ９はポスター７とスペーサー５の取り付けに使用されており、ポスター７と壁面８の間の接着に使用されていない。このため、壁面８に両面接着テープ９や接着剤が残ることもない。
【００２１】
（第１の変形例）
上述した止め具の第１の変形例を図４に示す。図１に示した止め具１と共通する部分に関しては説明を省略し、相違点を中心に説明する。スペーサー５の下面（頭部材３と反対側の面）には磁性体からなる板部材１６が配置されている。すなわち、スペーサー５とポスター７との間に板部材１６が介在している。より具体的に説明すれば、板部材１６が取り付けられたスペーサー５が、両面接着テープ９でポスター７に取り付けられている。スペーサー５の貫通孔６に脚部材４を嵌め込むと、脚部材４の有する磁力により板部材１６は磁化され、板部材１６は脚部材４に吸着される。脚部材４と一体となっている頭部材３は、ポスター７に取り付けられた状態となる。このように、予め止め具１０１をポスター７に取り付けておけば、ポスター７の取り付け位置を決めてから脚部材４をスペーサー５の貫通孔６に嵌め込む必要がないので、高所に掲示物を取り付けるときの手間が簡素化される。
【００２２】
（第２の変形例）
止め具の第２の変形例を図５を用いて説明する。図１に示した止め具１と共通する部分に関しては説明を省略し、相違点を中心に説明する。２つの止め具１０２ａ，１０２ｂの脚部材４が対向する形でポスター７の両面に配置されている。２つの止め具１０２の脚部材４は、磁化方向が逆となっているので、その磁力により互いに吸引されて吸着する。ポスター７は２つの止め具１０２に挟持され、止め具１０２の頭部材３に取り付けた紐１５により、天井等に吊り下げ可能となっている。第２の変形例によれば、スーパー等の小売店や電車の中の吊り広告として、止め具１０２を使用することができる。また、催し物会場における案内等にも使用できる。紐１５の形状、材質は特に限定されるものでなく、合成樹脂、金属、紙であってもよく、また、撚り紐、チェーンおよびテープ状であってもよい。
【００２３】
図６（ａ）に示す保持材１０を使用すれば、ポスター７を高所に取り付けることができる。保持材１０は、取手１３と磁性体のバー１２から主として構成されていて、概略、Ｔ字状の構造を有する。取手１３の端部近くに磁性体のバー１２がビス１４で固定されている。保持材１０の使用方法を図６（ｂ）を用いて説明する。ポスター７にスペーサー５を貼り付けて、スペーサー５の貫通孔６に止め具１の脚部材４を嵌め込む。このとき止め具１の頭部材３はポスター７の反対側に位置している。このように止め具１を取り付けたポスター７を、頭部材３の方の面をバー１２接触させて、保持材のバー１２に吸着させる。頭部材３の脚部材４と反対側の面、つまりバー１２と接触する面には非磁性のシートが貼り付けられている。この非磁性のシートの厚みはポスター７の厚みより少し大きく設定されているので、脚部材４による頭部材３のバー１２への磁気吸引力は、壁面８への磁気吸引力の９０〜６０％となるよう調整されている。取手１３を把持して保持材１０に取り付けたポスター７を高所の壁面８に接触させると、壁面８への磁気吸引力がバー１２の磁気吸引力より強いので、ポスター７は、保持材１０のバー１２を離れて、壁面８に吸着される。
【００２４】
図７は保持材１０を用いて、ポスター７を高所に取り付ける様子を示す写真である。図７Ａは、保持材１０と保持材１０に取り付け前のポスター７を示す写真である。図７Ｂは、ポスター７を保持材に取り付けるときの写真であり、図７Ｃは保持材１０の取手１３を把持して高所にポスター７を取り付けるときの写真である。
【００２５】
図１（ｂ）に示すように、頭部材３には紐１５が取り付けられている。この紐１５を引っ張れば脚部材４とスペーサー５の嵌合を外すことができる。高所に掲示されたポスター７を容易に取り外すことが可能となる。また、紐１５を利用して、掲示物を吊り下げ掲示することも可能となる。なお、紐１５はスペーサー５に取り付けてもよい。
【産業上の利用可能性】
【００２６】
本考案に係る掲示物の止め具はポスター等の止め具として利用できる。ポスター等を高所に取り付ける用途にも適用できる。
【符号の説明】
【００２７】
１    止め具
３    頭部材
４    脚部材
５    スペーサー
６    貫通孔
７    ポスター
８    壁面
９    接着材（両面接着テープ）
１０    保持材
１２    バー
１３    取手
１４    ビス
１５    紐
１６    板部材
【図１】
0003188295.tif 000003
【図２】
0003188295.tif 000004
【図３】
0003188295.tif 000005
【図４】
0003188295.tif 000006
【図５】
0003188295.tif 000007
【図６】
0003188295.tif 000008
【図７Ａ】
0003188295.tif 000009
【図７Ｂ】
0003188295.tif 000010
【図７Ｃ】
0003188295.tif 000011